(57)【要約】    【課題】  滑らかで良質な動画表示が得られるようにした場合であっても小型化が容易な構造をもったプロジェクタを提供する。    【解決手段】  光源装置１１０と、光束分割用レンズアレイ１５０と、集光レンズ１６０，１８０と、色分離光学系２６０，２６４，２７４，２７８と、液晶表示装置４００Ｒ，４００Ｇ，４００Ｂと、投写光学系６００と備えたプロジェクタにおいて、  光束分割用レンズアレイ１５０の光源装置１１０側に配置され、光透過領域と光非透過領域とが照明光束の光軸に垂直な第１の方向に順次交互に配列された光シャッタ１２０Ａをさらに備え、  光シャッタ１２０Ａは、光透過領域と光非透過領域とが第１の方向に沿って移動することによって、液晶表示装置上で光照射領域と光非照射領域とが液晶表示装置の画面書込み周波数に同期して順次交互にスクロールされるように構成されてなるプロジェクタ。【選択図】  図１
2005141063.tif 000002
【特許請求の範囲】
【請求項１】
略平行な照明光束を射出する光源装置と、
この光源装置から射出された照明光束を複数の部分光束に分割するためにマトリクス状に配列された複数の小レンズを有する光束分割用レンズアレイと、
この光束分割用レンズアレイによって分割された各部分光束を電気光学変調装置の被照明領域上に重畳させる集光レンズと、
この集光レンズからの光束を複数の色光に対応する光束に分割する色分離光学系と、
この色分離光学系によって分離された光束をそれぞれの画像情報に応じて変調する複数の電気光学変調装置と、
これら複数の電気光学変調装置によって変調された光束を投写する投写光学系と備えたプロジェクタにおいて、
前記光束分割用レンズアレイの前記光源装置側に配置され、光透過領域と光非透過領域とが照明光束の光軸に垂直な第１の方向に順次交互に配列された光シャッタをさらに備え、
この光シャッタは、前記光透過領域と前記光非透過領域とが前記第１の方向に沿って移動することによって、前記電気光学変調装置上で光照射領域と光非照射領域とが前記電気光学変調装置の画面書込み周波数に同期して移動するように構成されてなることを特徴とするプロジェクタ。
【請求項２】
請求項１に記載のプロジェクタにおいて、
前記光シャッタと前記光束分割用レンズアレイとの間隔をＴとしたとき、０．１ｍｍ＜Ｔ＜２ｍｍなる関係を満たすことを特徴とするプロジェクタ。
【請求項３】
請求項１又は２に記載のプロジェクタにおいて、
前記光シャッタにおける前記光透過領域及び光非透過領域の配列ピッチをＬとし、前記光束分割用レンズアレイにおける前記第１の方向に沿った小レンズの配列ピッチをＤとしたとき、Ｌ＝Ｄなる関係を満たすことを特徴とするプロジェクタ。
【請求項４】
請求項３に記載のプロジェクタにおいて、
前記光透過領域の前記第１の方向に沿った長さをＬ１とし、前記光非透過領域の前記第１の方向に沿った長さをＬ２としたとき、Ｌ１＝Ｌ２＝Ｌ／２なる関係を満たすことを特徴とするプロジェクタ。
【請求項５】
請求項１〜４のいずれかに記載のプロジェクタにおいて、
前記第１の方向に垂直な第２の方向に沿った前記光透過領域の長さをＷ１とし、前記第２の方向に沿った前記光非透過領域の長さをＷ２とし、前記光束分割用レンズアレイにおける前記第２の方向に沿ったレンズアレイ部分の長さをＥとしたとき、「Ｗ１＞Ｅ、かつ、Ｗ２＞Ｅ」なる関係を満たすことを特徴とするプロジェクタ。
【請求項６】
請求項１〜５のいずれかに記載のプロジェクタにおいて、
前記光シャッタは、透明基材に所定パターンの光非透過部材を設けることにより形成されていることを特徴とするプロジェクタ。
【請求項７】
請求項６に記載のプロジェクタにおいて、
前記光シャッタの光非透過部材は、金属膜又は誘電体多層膜からなることを特徴とするプロジェクタ。
【請求項８】
請求項６又は７に記載のプロジェクタにおいて、
前記光シャッタの光透過領域には、減反射膜が形成されてなることを特徴とするプロジェクタ。
【請求項９】
請求項１〜５のいずれかに記載のプロジェクタにおいて、
前記光シャッタは、不透明基材に所定パターンのスリットを設けることにより形成されていることを特徴とするプロジェクタ。
【請求項１０】
請求項１〜９のいずれかに記載のプロジェクタにおいて、
前記光シャッタから前記複数の電気光学変調装置のそれぞれまでの光学的距離はすべて等しいことを特徴とするプロジェクタ。
【請求項１１】
請求項１〜１０のいずれかに記載のプロジェクタにおいて、
前記光源装置は、楕円面リフレクタと、この楕円面リフレクタの第１焦点近傍に発光中心を有する発光管と、前記楕円面リフレクタからの射出光を略平行の光に変換する平行化レンズとを有し、
前記発光管には、前記発光管から被照明領域側に射出される光を前記楕円面リフレクタに向けて反射する反射手段が設けられていることを特徴とするプロジェクタ。
【発明の詳細な説明】
【技術分野】
【０００１】
本発明はプロジェクタに関する。 
【背景技術】
【０００２】
図６は、従来のプロジェクタを説明するために示す図である。図６（ａ）は従来のプロジェクタの光学系を示す図であり、図６（ｂ）及び図６（ｃ）はこのような従来のプロジェクタの問題点を説明するための図である。
このプロジェクタ９００Ａにおいては、電気光学変調装置として用いる液晶表示装置４００Ｒ，４００Ｇ，４００Ｂが、図６（ｂ）に示すような輝度特性を有するホールド型の表示装置であるため、図６（ｃ）に示すような輝度特性を有するインパルス型の表示装置であるＣＲＴの場合とは異なり、いわゆる尾引き現象のために滑らかな動画表示が得られないという問題点がある（この尾引き現象については、例えば、非特許文献１参照。）。
【０００３】
図７は、従来の他のプロジェクタを説明するために示す図である。図７（ａ）は従来の他のプロジェクタの光学系を示す図であり、図７（ｂ）及び図７（ｃ）はこのような従来の他のプロジェクタに用いられる光シャッタを示すための図である。
このプロジェクタ９００Ｂにおいては、図７（ａ）に示すように、液晶表示装置４００Ｒ，４００Ｇ，４００Ｂの光入射側に光シャッタ４２０Ｒ，４２０Ｇ，４２０Ｂを配置し、これらの光シャッタにより間欠的に光を遮断するようにして、上記した問題を解決している。すなわち、いわゆる尾引き現象を緩和して滑らかで良質な動画表示が得られるようにしている（例えば、特許文献１参照。）。
【非特許文献１】「ホールド型ディスプレイにおける動画表示の画質」（電子情報通信学会技報、ＥＩＤ９９−１０、第５５〜６０頁（１９９９−０６））
【特許文献１】特開２００２−１４８７１２号公報（図１〜図７）
【発明の開示】
【発明が解決しようとする課題】
【０００４】
しかしながら、このような従来の他のプロジェクタにおいては、３つの液晶表示装置の直前にそれぞれ光シャッタが配置されているため、プロジェクタの小型化が容易ではないという問題があった。また、このようなプロジェクタにおいては、光シャッタにより間欠的に光を遮断するようにしているため、光利用効率が大幅に低下するという問題もあった。
【０００５】
本発明は、このような問題を解決するためになされたもので、滑らかで良質な動画表示が得られるようにした場合であっても小型化が容易な構造をもったプロジェクタを提供することを第１の目的とする。また、滑らかで良質な動画表示が得られるようにした場合であっても光利用効率が大幅に低下しないプロジェクタを提供することを第２の目的とする。
【課題を解決するための手段】
【０００６】
（１）本発明のプロジェクタは、略平行な照明光束を射出する光源装置と、この光源装置から射出された照明光束を複数の部分光束に分割するためにマトリクス状に配列された複数の小レンズを有する光束分割用レンズアレイと、この光束分割用レンズアレイによって分割された各部分光束を電気光学変調装置の被照明領域上に重畳させる集光レンズと、この集光レンズからの光束を複数の色光に対応する光束に分割する色分離光学系と、この色分離光学系によって分離された光束をそれぞれの画像情報に応じて変調する複数の電気光学変調装置と、これら複数の電気光学変調装置によって変調された光束を投写する投写光学系と備えたプロジェクタにおいて、前記光束分割用レンズアレイの前記光源装置側に配置され、光透過領域と光非透過領域とが照明光束の光軸に垂直な第１の方向に順次交互に配列された光シャッタをさらに備え、この光シャッタは、前記光透過領域と前記光非透過領域とが前記第１の方向に沿って移動することによって、前記電気光学変調装置上で光照射領域と光非照射領域とが前記電気光学変調装置の画面書込み周波数に同期して移動するように構成されてなることを特徴とする。
【０００７】
このため、本発明のプロジェクタによれば、上記のように構成された光シャッタを備えているため、電気光学変調装置の画像形成領域においては光照射領域と光非照射領域とが順次移動するようになる。その結果、尾引き現象が緩和され、滑らかで良質な動画表示が得られるプロジェクタとなる。
また、本発明のプロジェクタによれば、このような効果を奏する光シャッタを、照明光束が色分離される前に配置することとしたため、電気光学変調装置が複数存在するにもかかわらず１つの光シャッタしか必要としないため、プロジェクタの大型化を極力抑制することができるようになる。
このため、本発明のプロジェクタは、滑らかで良質な動画表示が得られるようにした場合であっても小型化が容易な構造をもったプロジェクタとなり、本発明の第１の目的が達成される。
【０００８】
（２）上記（１）に記載のプロジェクタにおいては、前記光シャッタと前記光束分割用レンズアレイとの間隔をＴとしたとき、０．１ｍｍ＜Ｔ＜２ｍｍなる関係を満たすことが好ましい。
光源装置からの照射光束をより均一な光束に変換するレンズインテグレータ光学系においては、光束分割用レンズアレイにおける個々の小レンズと、電気光学変調装置とが共役の位置に配置される。このため、電気光学変調装置の画像形成領域上で光照射領域と光非照射領域が順次移動するようにするには、光シャッタがその光束分割用レンズアレイの近傍にあることが好ましい。この観点からは、Ｔ＜２ｍｍなる関係を満たすことが好ましく、Ｔ＜１ｍｍなる関係を満たすことがより好ましい。
一方、この間隔があまりに狭いと、光シャッタにおける光透過領域と光非透過領域とがスムーズに移動できなくなる。この観点からは、Ｔ＞０．１ｍｍなる関係を満たすことが好ましく、Ｔ＞０．２ｍｍなる関係を満たすことがより好ましい。
【０００９】
（３）上記（１）又は（２）に記載のプロジェクタにおいては、前記光シャッタにおける前記光透過領域及び光非透過領域の配列ピッチをＬとし、前記光束分割用レンズアレイにおける前記第１の方向に沿った小レンズの配列ピッチをＤとしたとき、Ｌ＝Ｄなる関係を満たすことが好ましい。
このように構成することにより、光束分割用レンズアレイにおける、いずれの行又は列の小レンズにおいても同じ位相で光シャッタの光透過領域と光非透過領域とが移動することになるため、電気光学変調装置の画像形成領域上で光照射領域と光非照射領域とが明確に分離されて良好に移動するようになる。
【００１０】
（４）上記（３）に記載のプロジェクタにおいては、前記光透過領域の前記第１の方向に沿った長さをＬ１とし、前記光非透過領域の前記第１の方向に沿った長さをＬ２としたとき、Ｌ１＝Ｌ２＝Ｌ／２なる関係を満たすことが好ましい。
このように構成することにより、電気光学変調装置の画像形成領域上で光照射領域と光非照射領域とが５０％の時間密度で順次移動するようになり、光利用効率をあまり低下させずに、良質な動画表示が得られるバランスのよいプロジェクタとなる。
【００１１】
（５）上記（１）〜（４）のいずれかに記載のプロジェクタにおいては、前記第１の方向に垂直な第２の方向に沿った前記光透過領域の長さをＷ１とし、前記第２の方向に沿った前記光非透過領域の長さをＷ２とし、前記光束分割レンズアレイにおける前記第２の方向に沿ったレンズアレイ部分の長さをＥとしたとき、「Ｗ１＞Ｅ、かつ、Ｗ２＞Ｅ」なる関係を満たすことが好ましい。
このように構成することにより、電気光学変調装置の画像形成領域の全幅にわたって光光照射領域及び光非照射領域を形成することが可能になる。
【００１２】
（６）上記（１）〜（５）のいずれかに記載のプロジェクタにおいては、前記光シャッタは、透明基材に所定パターンの光非透過部材を設けることにより形成されていることが好ましい。
このように構成することにより、比較的簡単な方法で光シャッタを製造することが可能となる。
【００１３】
（７）上記（６）に記載のプロジェクタにおいては、前記光シャッタの光非透過部材は、金属膜又は誘電体多層膜からなることが好ましい。
このように構成することにより、光非透過領域における光透過率を極めて低いものにするとともに耐光性の高いものにすることができる。
【００１４】
（８）上記（６）又は（７）に記載のプロジェクタにおいては、前記光シャッタの光透過領域には、減反射膜が形成されてなることが好ましい。
このように構成することにより、光シャッタの光透過領域における光透過率が向上するため光利用効率の低下を最小限のものにすることができるとともに、迷光レベルが低減しコントラストが向上する。
【００１５】
（９）上記（１）〜（５）のいずれかに記載のプロジェクタにおいては、前記光シャッタは、不透明基材に所定パターンのスリットを設けることにより形成されていることが好ましい。
このように構成することにより、比較的簡単な方法で光シャッタを製造することが可能となる。また、光が光透過領域を通過するときには空気層を通過することになるため、光透過率が向上して光利用効率の低下を最小限のものにすることができるとともに、迷光レベルが低減しコントラストが向上する。
【００１６】
（１０）上記（１）〜（９）のいずれかに記載のプロジェクタにおいては、前記光シャッタから前記複数の電気光学変調装置のそれぞれまでの光学的距離はすべて等しいことが好ましい。
このように構成することにより、各色光毎に等価なスクロールシステムが構成されることになり、色再現性のよいフルカラー表示を実現できるようになる。
【００１７】
（１１）上記（１）〜（１０）のいずれかに記載のプロジェクタにおいては、前記光源装置は、楕円面リフレクタと、この楕円面リフレクタの第１焦点近傍に発光中心を有する発光管と、前記楕円面リフレクタからの射出光を略平行の光に変換する平行化レンズとを有し、前記発光管には、前記発光管から被照明領域側に射出される光を前記楕円面リフレクタに向けて反射する反射手段が設けられていることが好ましい。
このように構成することにより、発光管からの光を一旦楕円面リフレクタによって細く絞って平行化することができるため、放物面リフレクタを用いる場合と比較して照明装置の後段に設けられる光学要素の大きさを小さくすることができ、プロジェクタの小型化を図ることができる。
また、発光管から被照明領域側に放射される光が反射手段によって楕円面リフレクタに向けて反射されるため、発光管の被照明領域側端部を覆うような大きさに楕円面リフレクタの大きさを設定することを必要とせず、楕円面リフレクタの小型化を図ることができ、結果としてプロジェクタの小型化を図ることができる。
【発明を実施するための最良の形態】
【００１８】
以下、本発明のプロジェクタについて、図に示す実施の形態に基づいて説明する。
【００１９】
〔実施形態１〕
図１は、本発明の実施形態１に係るプロジェクタを説明するために示す図である。図２は、実施形態１に係るプロジェクタに用いられる照明装置を示す図である。図２（ａ）は平面図であり、図２（ｂ）は側面図である。
【００２０】
実施形態１に係るプロジェクタ１０００Ａは、図１に示すように、照明装置１００と、照明装置１００からの光束を赤、青、緑の３つの色光に対応する光束に分割する色分離光学系２６０，２６４，２７４，２７８と、色分離光学系２６０，２６４，２７４，２７８によって分離された光束をそれぞれの画像情報に応じて変調する３つの液晶表示装置４００Ｒ，４００Ｇ，４００Ｂと、これら３つの液晶表示装置４００Ｒ，４００Ｇ，４００Ｂによって変調された光束を合成するクロスダイクロイックプリズム５００と、このクロスダイクロイックプリズム５００によって合成された光束を投写する投写光学系６００とを備えている。
【００２１】
照明装置１００は、略平行な照明光束を射出する光源装置１１０と、光源装置１１０から射出された照明光束を複数の部分光束に分割するためにマトリクス状に配列された複数の小レンズを有する光束分割用レンズアレイ１５０と、光束分割用レンズアレイ１５０によって分割された各部分光束を液晶表示装置４００Ｒ，４００Ｇ，４００Ｂの被照明領域上に重畳させる集光レンズとしての集光用レンズアレイ１６０及び重畳レンズ１８０とを有している。集光用レンズアレイ１６０と重畳レンズ１８０との間には、ランダム偏光光を偏光光に変換するための偏光変換素子１７０が配置されている。
【００２２】
光源装置１１０は、楕円面リフレクタ１１４と、楕円面リフレクタ１１４の第１焦点近傍に発光中心を有する発光管１１２と、楕円面リフレクタ１１２からの射出光を略平行の光に変換する平行化レンズ１１８とを有している。発光管１１２には、発光管１１２から被照明領域側に射出される光を楕円面リフレクタ１１４に向けて反射する反射手段としての補助ミラー１１６が設けられている。
【００２３】
図３及び図４は、実施形態１に係るプロジェクタに用いる光シャッタを説明するために示す図である。図３（ａ）は光シャッタを光源装置側から見た斜視図であり、図３（ｂ）は光束分割用レンズアレイを光源装置側から見た正面図である。図４（ａ）は光シャッタにおける光透過領域及び光非透過領域が移動する様子を示す図であり、図４（ｂ）は光束分割用レンズアレイにおける小レンズ上で光照射領域及び光非照射領域がスクロールされる様子を示す図である。図４（ｃ）は液晶表示装置の画像形成領域上で光照射領域及び光非照射領域がスクロールされる様子を示す図である。
【００２４】
実施形態１に係るプロジェクタ１０００Ａは、図２（ｂ）及び図３（ａ）に示すように、光束分割用レンズアレイ１５０の光源装置１１０側に、光透過領域１２２Ａと光非透過領域１２４Ａとが照明光束の光軸に垂直な第１の方向ＨＡに順次交互に配列された光シャッタ１２０Ａを備えている。そして、光シャッタ１２０Ａは、光透過領域１２２Ａと光非透過領域１２４Ａとが第１の方向ＨＡに沿って移動することによって、図４（ｂ）に示すように、光束分割用レンズアレイ１５０の小レンズ１５２上で光照射領域と光非照射領域とが順次交互にスクロールされ、図４（ｃ）に示すように、液晶表示装置４００（液晶表示装置４００Ｒ，４００Ｇ，４００Ｂ）上で光照射領域と光非照射領域とが液晶表示装置の画面書込み周波数に同期して順次交互にスクロールされるように構成されている。
【００２５】
このため、実施形態１に係るプロジェクタ１０００Ａによれば、このような光シャッタ１２０Ａを備えているため、液晶表示装置４００Ｒ，４００Ｇ，４００Ｂの画像形成領域においては光照射領域と光非照射領域とが液晶表示装置の画面書き込み方向に沿って順次スクロールされるようになる。その結果、尾引き現象が緩和され、滑らかで良質な動画表示が得られるプロジェクタとなる。
また、実施形態１に係るプロジェクタ１０００Ａによれば、このような効果を奏する光シャッタ１２０Ａを、照明光束が色分離される前に配置しているため、複数の液晶表示装置４００Ｒ，４００Ｇ，４００Ｂが存在するにもかかわらず１つの光シャッタ１２０Ａしか必要としないため、プロジェクタの大型化を極力抑制することができるようになる。
このため、実施形態１に係るプロジェクタ１０００Ａは、滑らかで良質な動画表示が得られるようにした場合であっても小型化が容易な構造をもったプロジェクタとなる。
【００２６】
実施形態１に係るプロジェクタ１０００Ａにおいては、光シャッタ１２０Ａと光束分割用レンズアレイ１５０との間隔をＴとしたとき、Ｔ＜２ｍｍなる関係を満たすように構成されている。
光源装置１１０からの照射光束をより均一な光束に変換するレンズインテグレータ光学系１５０，１６０，１８０においては、光束分割用レンズアレイ１５０における個々の小レンズ１５２と、液晶表示装置４００Ｒ，４００Ｇ，４００Ｂとが共役の位置に配置される。このため、液晶表示装置４００Ｒ，４００Ｇ，４００Ｂの画像形成領域上で光照射領域と光非照射領域とが順次交互にスクロールされるようにするには、光束分割レンズアレイ１５０の小レンズ１５２上で光照射領域と光非照射領域とが順次交互にスクロールされるようにすることが好ましいため、光シャッタ１２０Ａが光束分割用レンズアレイ１５０のごく近傍にあることが好ましい。この観点からは、Ｔ＜２ｍｍなる関係を満たすことが好ましく、Ｔ＜１ｍｍなる関係を満たすことがより好ましい。
一方、この間隔Ｔがあまりに狭いと、光シャッタ１２０Ａにおける光透過領域１２２Ａと光非透過領域１２４Ａとがスムーズに移動できなくなる。この観点からは、Ｔ＞０．１ｍｍなる関係を満たすことが好ましく、Ｔ＞０．２ｍｍなる関係を満たすことがより好ましいといえる。
【００２７】
実施形態１に係るプロジェクタ１０００Ａにおいては、図３（ａ）及び図３（ｂ）に示すように、光シャッタ１２０Ａにおける第１の方向ＨＡに沿った光透過領域１２２Ａ及び光非透過領域１２４Ａの配列ピッチをＬＡとし、光束分割用レンズアレイ１５０における第１の方向ＨＡに沿った小レンズ１５２の配列ピッチをＤＡとしたとき、ＬＡ＝ＤＡなる関係を満たしている。このため、光束分割用レンズアレイ１５０におけるいずれの行の小レンズ１５２においても同じ位相で光シャッタ１２０Ａの光透過領域１２２Ａと光非透過領域１２４Ａとが移動することになるため、液晶表示装置４００Ｒ，４００Ｇ，４００Ｂの画像形成領域上で光照射領域と光非照射領域とが明確に分離されて良好にスクロールされるようになる。
【００２８】
実施形態１に係るプロジェクタ１０００Ａにおいては、図３（ａ）及び図３（ｂ）に示すように、光シャッタ１２０Ａにおける光透過領域１２２Ａの第１の方向ＨＡに沿った長さをＬＡ１とし、光非透過領域１２４Ａの第１の方向ＨＡに沿った長さをＬＡ２としたとき、ＬＡ１＝ＬＡ２＝ＬＡ／２なる関係を満たしている。このため、液晶表示装置４００Ｒ，４００Ｇ，４００Ｂの画像形成領域上で光照射領域と光非照射領域とが５０％の時間密度で順次交互にスクロールされるようになり、光利用効率をあまり低下させずに、良質な動画表示が得られるバランスのよいプロジェクタとなる。
【００２９】
実施形態１に係るプロジェクタ１０００Ａにおいては、光シャッタ１２０Ａにおける第１の方向ＨＡに垂直な第２の方向ＩＡに沿った光透過領域の長さをＷＡ１とし、第２の方向ＩＡに沿った光非透過領域の長さをＷＡ２とし、光束分割用レンズアレイ１５０における第２の方向ＩＡに沿ったレンズアレイ部分の長さをＥＡとしたとき、「ＷＡ１＞ＥＡ、かつ、ＷＡ２＞ＥＡ」なる関係を満たしている。このため、液晶表示装置４００Ｒ，４００Ｇ，４００Ｂの画像形成領域の全幅にわたって光照射領域及び光非照射領域を形成することが可能になる。
【００３０】
実施形態１に係るプロジェクタ１０００Ａにおいては、光シャッタ１２０Ａは、透明基材に光非透過部材としての金属膜を所定パターンで成膜することにより形成されている。このため、比較的簡単な方法で光シャッタを製造することが可能となる。また、光非透過領域における光透過率を極めて低いものにするとともに耐光性の高いものにすることができる。
なお、光非透過部材としては、金属膜に代えて、誘電体多層膜を用いることもできる。
【００３１】
実施形態１に係るプロジェクタ１０００Ａにおいては、光シャッタ１２０Ａの光透過領域１２２Ａには、誘電体多層膜からなる減反射膜が形成されている。このため、光シャッタ１２０Ａの光透過領域１２２Ａにおける光透過率が向上するため光利用効率の低下を最小限のものにすることができるとともに、迷光レベルが低減しコントラストが向上する。
【００３２】
なお、光シャッタ１２０Ａは、不透明基材に所定パターンのスリットを設けることにより形成することもできる。このように構成することによっても、比較的簡単な方法で光シャッタ１２０Ａを製造することが可能となる。また、光シャッタ１２０Ａの光透過領域１２２Ａが空気層となるため、光透過率が向上して光利用効率の低下を最小限のものにすることができるとともに、迷光レベルが低減しコントラストが向上する。
【００３３】
実施形態１に係るプロジェクタ１０００Ａにおいては、上記したように、リフレクタとして楕円面リフレクタ１１４を用いている。このため、発光管１１２からの光を一旦楕円面リフレクタ１１４によって細く絞って平行化することができるため、放物面リフレクタを用いる場合と比較して光源装置１１０の後段に設けられる照明装置の各光学要素（光束分割用レンズアレイ１５０、集光用レンズアレイ１６０、重畳レンズ１８０、偏光変換素子１７０）、色分離光学系２６０，２６４，２７４，２７８、液晶表示装置４００Ｒ，４００Ｇ，４００Ｂ、クロスダイクロイックプリズム５００及び投写レンズ６００などの光学要素の大きさを小さくすることができ、プロジェクタの小型化を図ることができる。
【００３４】
実施形態１に係るプロジェクタ１０００Ａにおいては、上記したように、発光管１１２には、発光管１１２から被照明領域側に射出される光を楕円面リフレクタ１１４に向けて反射する反射手段としての補助ミラー１１６が設けられている。このため、発光管１１２から被照明領域側に放射される光が補助ミラー１１６によって楕円面リフレクタ１１４に向けて反射されるため、発光管１１２の被照明領域側端部を覆うような大きさに楕円面リフレクタ１１４の大きさを設定することを必要とせず、楕円面リフレクタ１１４の小型化を図ることができ、結果としてプロジェクタの小型化を図ることができる。
【００３５】
実施形態１に係るプロジェクタ１０００Ａにおいては、図１に示すように、光シャッタ１２０Ａから複数の液晶表示装置４００Ｒ，４００Ｇ，４００Ｂのそれぞれまでの光学的距離はすべて等しくなるように構成されている。このため、各色光毎に等価なスクロールシステムが構成されることになり、色再現性のよいフルカラー表示を実現できるようになる。
【００３６】
〔実施形態２〕
図５は、本発明の実施形態２に係るプロジェクタに用いられる照明装置を示す図である。図５（ａ）は平面図であり、図５（ｂ）は側面図である。
【００３７】
実施形態２に係るプロジェクタ１０００Ｂは、図５に示すように、光シャッタの移動方法が実施形態１に係るプロジェクタ１０００Ａの移動方法とは異なっている。すなわち、実施形態１に係るプロジェクタ１０００Ａにおいては、光シャッタ１２０Ａは図２（ｂ）に示すようにＨＡ方向に沿って一方の方向に移動しているが、実施形態２に係るプロジェクタ１０００Ｂにおいては、光シャッタ１２０Ｂは図５（ｂ）に示すようにｙ軸に沿って往復移動している。
【００３８】
実施形態２に係るプロジェクタ１０００Ｂにおいては、実施形態１に係るプロジェクタ１０００Ａの場合とは光シャッタの移動方法が異なるが、図５（ｂ）に示すように、光シャッタ１２０Ｂは、光透過領域と光非透過領域とが第１の方向（ｙ軸）に沿って往復移動することによって、光束分割用レンズアレイ１５０上で光照射領域と光非照射領域とが往復移動され、その結果、液晶表示装置４００（液晶表示装置４００Ｒ，４００Ｇ，４００Ｂ）上で光照射領域と光非照射領域とが液晶表示装置の画面書込み周波数に同期して往復移動されるようになる。
【００３９】
このため、実施形態２に係るプロジェクタ１０００Ｂによっても、このような光シャッタ１２０Ｂを備えているため、液晶表示装置４００Ｒ，４００Ｇ，４００Ｂの画像形成領域においては光照射領域と光非照射領域とが往復移動されるようになる。その結果、尾引き現象が緩和され、滑らかで良質な動画表示が得られるプロジェクタとなる。
また、実施形態２に係るプロジェクタ１０００Ｂによれば、このような効果を奏する光シャッタ１２０Ｂを、照明光束が色分離される前に配置しているため、複数の液晶表示装置４００Ｒ，４００Ｇ，４００Ｂが存在するにもかかわらず１つの光シャッタ１２０Ｂしか必要としないため、プロジェクタの大型化を極力抑制することができるようになる。
このため、実施形態２に係るプロジェクタ１０００Ｂは、滑らかで良質な動画表示が得られるようにした場合であっても小型化が容易な構造をもったプロジェクタとなる。
【００４０】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。 
【００４１】
（１）上記各実施形態のプロジェクタ１０００Ａ及び１０００Ｂは透過型のプロジェクタであるが、本発明は反射型のプロジェクタにも適用することが可能である。ここで、「透過型」とは、透過型の液晶表示装置等のように光変調手段としての電気光学変調装置が光を透過するタイプであることを意味しており、「反射型」とは、反射型液晶表示装置のように光変調手段としての電気光学変調装置が光を反射するタイプであることを意味している。反射型のプロジェクタにこの発明を適用した場合にも、透過型のプロジェクタと同様の効果を得ることができる。 
【００４２】
（２）上記各実施形態のプロジェクタ１０００Ａ及び１０００Ｂは、電気光学変調装置として液晶表示装置を用いているが、本発明はこれに限られない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【図面の簡単な説明】
【００４３】
【図１】実施形態１に係るプロジェクタを説明するために示す図。
【図２】実施形態１に係るプロジェクタに用いる照明装置を説明するために示す図。
【図３】実施形態１に係るプロジェクタに用いる光シャッタを説明するために示す図。
【図４】実施形態１に係るプロジェクタに用いる光シャッタを説明するために示す図。
【図５】実施形態２に係るプロジェクタに用いる照明装置を説明するために示す図。
【図６】従来のプロジェクタを説明するために示す図。
【図７】従来の他のプロジェクタを説明するために示す図。
【符号の説明】
【００４４】
１００Ａ，１００Ｂ…照明装置、１１０…光源装置、１１２…発光管、１１４…楕円面リフレクタ、１１６…補助ミラー、１１８…平行化レンズ、１２０Ａ，１２０Ｂ…光シャッタ、１２２Ａ…光透過領域、１２４Ａ…光非透過領域、１２６Ａ…ローラ、１２８…モータ、１５０…光束分割用レンズアレイ、１５２…小レンズ、１６０…集光用レンズアレイ、１７０…偏光変換素子、１８０…重畳レンズ、２６０，２６４，２７４，２７８…色分離光学系、４００Ｒ，４００Ｇ，４００Ｂ…液晶表示装置、５００…クロスダイクロイックプリズム、６００…投写光学系、９００Ａ，９００Ｂ，１０００Ａ，１０００Ｂ…プロジェクタ
【図１】
2005141063.tif 000003
【図２】
2005141063.tif 000004
【図５】
2005141063.tif 000005
【図６】
2005141063.tif 000006
【図７】
2005141063.tif 000007
【図３】
2005141063.tif 000008
【図４】
2005141063.tif 000009